(57)【特許請求の範囲】
【請求項１】
太陽電池と、この太陽電池の電力を充電する蓄電池と、この蓄電池の電力で点灯動作する点灯回路と、前記太陽電池の出力電圧が基準値より低下すると前記点灯回路を点灯動作させる制御ユニットとを備え、前記制御ユニットは、前記基準値を記憶するメモリと、前記基準値を設定変更可能とする点灯開始設定ボタンとを有し、前記点灯開始設定ボタンの操作により、その時点の太陽電池の出力電圧を新基準値として前記メモリに記憶させるものであることを特徴としたソーラライト。
【発明の詳細な説明】
【０００１】
【発明の属する技術分野】
この発明は、点灯開始周囲照度の可変設定装置等を備え、ばらつきなく点灯開始できるソーラライトのに関するものである。
【０００２】
【従来の技術】
従来のこの種のソーラライトの点灯開始は、一般的に太陽電池の出力電圧による日没検知により行なうが、太陽電池の出力電圧特性が低照度域において各太陽電池によりばらつきが大きく特性の管理ができないという問題点があり、点灯開始する時の周囲照度がまちまちであったり、多灯設置した場合に各ソーラライトにて点灯開始のばらつきが生じている。
【０００３】
点灯開始照度を調節することや多灯設置時のばらつきをなくしたいということが要求されているが、とくに具体的な対策はなされていない。このため、点灯開始する時の周囲照度がまちまちであったり、多灯設置した場合に各ソーラライトにて点灯開始のばらつきが生じているのは、現地の日照によるということで片付けられている。
【０００４】
【発明が解決しようとする課題】
したがって、この発明の目的は、太陽電池の出力電圧を設定することで希望の点灯開始周囲照度にて点灯を開始することが可能となり、また多灯設置時に各ソーラライトの点灯時期をばらつきなく合わせることが可能なソーラライトを提供することである。
【０００５】
【課題を解決するための手段】
請求項１記載のソーラライトは、太陽電池と、この太陽電池の電力を充電する蓄電池と、この蓄電池の電力で点灯動作する点灯回路と、前記太陽電池の出力電圧が基準値より低下すると前記点灯回路を点灯動作させる制御ユニットとを備え、前記制御ユニットは、前記基準値を記憶するメモリと、前記基準値を設定変更可能とする点灯開始設定ボタンとを有し、前記点灯開始設定ボタンの操作により、その時点の太陽電池の出力電圧を新基準値として前記メモリに記憶させるものであることを特徴としたものである。
【０００６】
請求項１記載のソーラライトによれば、太陽電池の出力電圧と周囲照度の関係が固体ではばらつきが少ないという特性を用い、希望の点灯開始周囲照度に対応する太陽電池の出力電圧を設定することで希望の点灯開始周囲照度にて点灯を開始することができ、基準値の設定を変更することによりソーラライトの点灯開始照度の設定を変更できる。
また、点灯開始設定電圧を再設定するには、点灯開始設定ボタンを押すことにより行なえるので、ソーラライトの点灯開始時刻を変更することが容易で確実である。また制御ユニットに設置した点灯開始設定ボタンを押すことのみで点灯開始設定電圧の再設定が可能となっているので、お客様が現場で設定することもできる。さらに多灯使用時の調整用として、各ソーラライトの点灯時期をばらつきなく合わせることもできる。またＥＥスイッチにより点灯制御している照明器具と点灯時期をばらつきなく合わせることもできる。
【００１３】
【発明の実施の形態】
この発明の一実施の形態を図１から図４により説明する。すなわち、このソーラライトは、太陽電池ＳＢと、蓄電池ＢＴと、点灯回路１と、制御ユニット２とを有する。
【００１４】
太陽電池ＳＢは公知のものを適用している。一般的に放射照度（Ｗ／ｍ2 ）と太陽電池の出力電圧（Ｖ）は図４（ｂ）に示す関係がある。
【００１５】
蓄電池ＢＴは太陽電池ＳＢの電力を充電するものである。蓄電池ＢＴも公知のものを適用している。
【００１６】
点灯回路１は、蓄電池ＢＴの電力で点灯動作する。実施の形態では、安定器３と安定器３に接続されたランプ４からなる。蓄電池ＢＴを後述する制御ユニット２の昇圧回路部５に接続し、昇圧回路部５が極性反転回路部６に接続され、極性反転回路部６を安定器３に接続して安定器３を動作させる。昇圧回路部５および極性反転回路部６は制御ユニット２における制御手段である汎用マイコンＩＣにより制御される。
【００１７】
制御ユニット２は、太陽電池ＳＢの出力電圧を可変設定可能な基準値と比較して出力電圧が基準値より低下すると点灯回路１を点灯動作させる。そして基準値はＥＥＰＲＯＭＩＣを用いたメモリＩＣ３に記憶され、このメモリＩＣ３に記憶された基準値をスイッチＳＷ１の点灯開始設定ボタンにより太陽電池ＳＢの出力電圧の値に書き換える。実施の形態の制御ユニット２は蓄電池ＢＴのボックス内に設けている。
【００１８】
図１に示す実施の形態において、ＩＣ1 はレギュレータＩＣ、ＩＣ2 は上記した汎用マイコンＩＣ、ＩＣ3 は前記したＥＥＰＲＯＭＩＣ、Ｘ１は発振子、Ｑ１はＦＥＴ、Ｄ１、Ｄ２はダイオード、Ｒ１〜Ｒ５は抵抗、ＳＷ１は点灯開始設定ボタンのスイッチである。図２において、１０は各種制御スイッチ、１１は各種表示用ＬＥＤ、１２はコネクタである。
【００１９】
昼間、太陽電池ＳＢで発生した電圧は汎用マイコンＩＣ２がＦＥＴＱ１をオンさせる信号を出力することで蓄電池ＢＴに充電する。太陽電池ＳＢの電圧が下がるとダイオードＤ２、抵抗Ｒ１、Ｒ２による分圧ＶＲ２が汎用マイコンＩＣ２で設定された基準値である電圧Ｖｒｅｆ１を下回ることにより夜間と判断し、ＦＥＴＱ１をオフさせる信号を出力させると共に昇圧回路部５および極性反転回路部６を動作させ安定器３に電圧を供給し、ランプ４を点灯させる。
【００２０】
点灯開始設定ボタンのスイッチＳＷ１をオンさせると、メモリＩＣ３に新しい設定電圧Ｖｒｅｆ２（＝ＶＲ２）を記憶させることができ、これにより希望の周囲の明るさ（照度）でランプ４を点灯できるように構成している。
【００２１】
ソーラライトの動作について図４（ａ）のタイミング図および図４（ｂ）の太陽電池ＳＢの出力電圧と放射照度の関係図を用いて説明する。ソーラライトの動作であるので、通常のタイマまたはＥＥスイッチを使用することをせず、点灯開始は太陽電池ＳＢの出力電圧を認識して日没を検知して行なわれる。周囲照度が低くなる（日没時）と図４（ｂ）のように太陽電池出力電圧が低下する。ある点灯開始設定電圧ＶA と比較し、ＶA 以下になったときに日没と検知し照明器具のランプ４を点灯させる。点灯開始後は制御ユニット２の内部のタイマによりある時間Ｔだけ照明器具を点灯させ、Ｔ時間経過後消灯させる。
【００２２】
このとき制御ユニット２のあるボタンのスイッチＳＷ１を押すことにより、その時点の太陽電池ＳＢを制御ユニット２の内部のＩＣに新設定電圧ＶA ′として記憶させ、それ以降は新設定電圧ＶA ′にて日没検知を実施する。これにより点灯開始時刻を初期設定時より変更することが可能である。
【００２３】
このように、この制御ユニット２は、太陽電池ＳＢの出力電圧を認識することができ、ある基準値（しきい値すなわち点灯開始設定電圧）を下回ると日没と検知し、点灯回路を有する照明器具に蓄電池ＢＴから電力を供給し点灯させる。このとき、制御ユニット２に設置した点灯開始設定ボタンのスイッチＳＷ１を押すことによりその時点の太陽電池ＳＢの出力電圧を制御ユニット２の内部に記憶し、新しい点灯開始設定電圧として設定している。
【００２４】
第１の実施の形態によれば、ソーラライトのシステムにおける点灯開始動作を行なう制御ユニット２の部分に、点灯開始設定電圧を再設定することができるものを設けている。スイッチＳＷ１の点灯開始設定ボタンを押すことにより、その時点の太陽電池ＳＢの出力電圧を新しい点灯開始設定電圧として設定するという動作を実行する。またこの値は、制御ユニット２内にて記憶しておくことができる。従って、希望する点灯開始周囲照度にて、ソーラライトのランプ４を点灯開始することができる。
【００２５】
したがって、太陽電池ＳＢの出力電圧と周囲照度の関係が固体ではばらつきが少ないという特性を用い、希望の点灯開始周囲照度に対応する太陽電池ＳＢの出力電圧を設定することで希望の点灯開始周囲照度にて点灯を開始することができ、基準値の設定を変更することによりソーラライトの点灯開始照度の設定を変更できる。
【００２６】
また点灯開始設定電圧を再設定するには、点灯開始設定ボタンを押すことにより行なえるので、ソーラライトの点灯開始時刻を変更することが容易で確実である。また制御ユニット２に設置した点灯開始設定ボタンを押すことのみで点灯開始設定電圧の再設定が可能となっているので、お客様が現場で設定することもできる。さらに多灯使用時の調整用として、各ソーラライトの点灯時期をばらつきなく合わせることもできる。またＥＥスイッチにより点灯制御している照明器具と点灯時期をばらつきなく合わせることもできる。
【００３３】
【発明の効果】
請求項１記載のソーラライトによれば、太陽電池の出力電圧と周囲照度の関係が固体ではばらつきが少ないという特性を用い、希望の点灯開始周囲照度に対応する太陽電池の出力電圧を設定することで希望の点灯開始周囲照度にて点灯を開始することができ、基準値の設定を変更することによりソーラライトの点灯開始照度の設定を変更できる。
点灯開始設定電圧を再設定するには、点灯開始設定ボタンを押すことにより行なえるので、ソーラライトの点灯開始時刻を変更することが容易で確実である。また制御ユニットに設置した点灯開始設定ボタンを押すことのみで点灯開始設定電圧の再設定が可能となっているので、お客様が現場で設定することもできる。さらに多灯使用時の調整用として、各ソーラライトの点灯時期をばらつきなく合わせることもできる。またＥＥスイッチにより点灯制御している照明器具と点灯時期をばらつきなく合わせることもできる。
【図面の簡単な説明】
【図１】この発明の第１の実施の形態の回路ブロック図である。
【図２】制御ユニットの外観斜視図である。
【図３】太陽電池、蓄電池および制御ユニットの構成を説明する説明図である。
【図４】（ａ）は時間に対する点灯および消灯を示すグラフ、（ｂ）は放射照度（Ｗ／ｍ2 ）に対する太陽電池の出力電圧（Ｖ）である。
【符号の説明】
１    点灯回路
２    制御ユニット
ＳＷ１    ボタンのスイッチ
ＳＢ    太陽電池
ＢＴ    蓄電池
ＩＣ２    汎用マイコンＩＣ
ＩＣ３    メモリ
【図１】
0003945104.tif 000002
【図２】
0003945104.tif 000003
【図３】
0003945104.tif 000004
【図４】
0003945104.tif 000005